(57)【要約】テープ貼り付け装置（１０）は、ロール（１６）から第１の面（１２）にテープ（２６）を貼り付ける際に、左手および右手の両方で使用するために適合される。第１の面（１２）の縁（３２）は、隣接する第２の面（３６）の縁（３４）と共通である。テープ貼り付け装置（１０）は、ハウジング（１４）と、ロールを摺動可能に支持することができる、ハウジングに取付けられるテープハブ（１８）と、を備える。ハウジングは、第１および第２の外面（５４、６６）および第１および第２の内面（５２、６４）を有し、ロールを収容することができる。テープ貼り付け装置が第１の方向（２９）に案内されるとき、ロールは第１の内部側面（５２）に対して第１の分配位置に移動可能であり、テープ貼り付け装置が第１の方向とは反対の第２の方向に案内されるとき、ロールは第２の内部側面（６４）に対して第２の分配位置に移動可能である。
2008532886.tif 000002
【特許請求の範囲】
【請求項１】
ロールから第１の面にテープを貼り付ける際に、左手および右手の両方で使用するために適合されたテープ貼り付け装置であって、前記第１の面の縁が、隣接する第２の面の縁と共通であり、
第１の外部側面および第２の外部側面および第１の内部側面および第２の内部側面を有し、前記ロールを収容するように適合されたハウジングと、
前記ロールを摺動可能に支持することができる、前記ハウジングに取付けられたテープハブとを備え、
前記テープ貼り付け装置が第１の方向に案内されるとき、前記ロールが前記第１の内部側面に対して第１の分配位置に移動可能であり、
前記テープ貼り付け装置が、前記第１の方向とは反対の第２の方向に案内されるとき、前記ロールが第２の内部側面に対して第２の分配位置に移動可能である、テープ貼り付け装置。
【請求項２】
前記第１の面にテープを強固に押し付けるために、前記ハウジングに取付けられた複数の貼り付けローラをさらに備える、請求項１に記載のテープ貼り付け装置。
【請求項３】
前記貼り付けローラの少なくとも１つは、可変の直径を有する、請求項２に記載のテープ貼り付け装置。
【請求項４】
前記第１の分配位置および前記第２の分配位置の両方において、前記ロールを前記テープハブに摩擦を介して維持するための手段をさらに備える、請求項１に記載のテープ貼り付け装置。
【請求項５】
前記ロールを前記テープハブに摩擦を介して維持するための前記手段は、前記テープハブから外側に突出する複数の突出部を備える、請求項３に記載のテープ貼り付け装置。
【請求項６】
前記第１の外部側面および前記第２の外部側面は、前記ハウジングの両側のテープ分配縁に向かって次第に細くなる、請求項１に記載のテープ貼り付け装置。
【請求項７】
前記テープハブは、テープ幅が可変であるテープのロールを摺動可能に支持することができる、請求項１に記載のテープ貼り付け装置。
【請求項８】
前記テープハブは、前記ハウジングに回転可能に連結される、請求項１に記載のテープ貼り付け装置。
【請求項９】
ロールから第１の面の上にテープの細片を貼り付けるためのテープディスペンサであって、前記第１の面の縁は、第２の隣接する面の縁と共通であり、前記ロールは第１の幅を有し、テープの前記細片は第１の側縁および第２の側縁を有し、
前記ロールを収容するように適合されるフレームであって、その第１の側に第１のテープ分配縁を有し、その第２の側に第２のテープ分配縁を有するフレームと、
前記フレームに取付けられるテープハブであって、前記ロールの第１の幅よりも大きい第２の幅を有し、その上に前記ロールを摺動可能に支持するように形成されるテープハブと、を備え、
前記ロールは、前記テープハブの第１の側にある第１の分配位置と、前記テープハブの第２の側にある第２の分配位置との間で摺動可能であり、前記第１の分配位置にあるとき、前記ロールから分配されているテープの前記細片の前記第１の側縁は、前記フレームの前記第１の側の前記第１の分配縁と同一直線上にあり、前記第２の分配位置にあるとき、前記ロールから分配されているテープの前記細片の前記第２の側縁は、前記フレームの前記第２の側の前記第２の分配縁と同一直線上にある、テープディスペンサ。
【請求項１０】
前記第１の分配位置および前記第２の分配位置の両方において、前記ロールを前記テープハブに摩擦を介して維持するための手段をさらに備える、請求項９に記載のテープディスペンサ。
【請求項１１】
前記ロールを前記テープハブに摩擦を介して維持するための前記手段が、前記テープハブから外側に突出する複数の突出部を備える、請求項１０に記載のテープディスペンサ。
【請求項１２】
テープの前記細片を前記第１の面に対して強固に押し付けるために、前記フレームに対して装着される複数の貼り付けローラをさらに備える、請求項９に記載のテープディスペンサ。
【請求項１３】
前記貼り付けローラの少なくとも１つは、可変の直径を有する、請求項１２に記載のテープディスペンサ。
【請求項１４】
第１の方向においてテープ分配フレームのハブに装着されたロールから第１の面にテープの第１の細片を貼り付け、続いて、前記テープ分配フレームから前記ロールを取り外すことなく、第２の方向において前記ロールから前記第１の面にテープの第２の細片を貼り付けるための方法であって、ここで前記第１の面の縁が、前記第１の面に隣接する第２の面の縁と共通であり、
前記テープ分配フレームに関する第１の分配位置に前記ロールを位置決めするステップであって、前記ロールから分配されるテープの第１の側縁が前記テープ分配フレームの第１の分配縁と同一直線上にあるステップと、
前記テープ分配フレームを前記第１の面の上に配置するステップと、
前記第１の分配縁が第２の面と係合するように、前記テープ分配フレームの前記第１の分配縁を前記第２の面と位置合わせするステップと、
前記第１の方向に前記テープ分配フレームを移動するステップと、
前記テープ分配フレームの前記ハブの上にある前記ロールから、ある一定の長さのテープを前記第１の面に接着するステップであって、テープの前記第１の側縁が前記第１の面および前記第２の面の共通の縁に沿って同一直線上に延在するステップと、
前記テープ分配フレームの前記ハブの上にある前記ロールから、前記第１の面に接着されるある一定の長さのテープを分離し、前記第１の面に接着されるテープの第１の細片を画定するステップと、
前記テープ分配フレームに関する第２の分配位置に前記ロールを位置決めするために、前記ハブの幅にわたって第１の方向に前記ロールを摺動させるステップであって、前記ロールから分配されるテープの第２の側縁が前記テープ分配フレームの第２の分配縁と同一直線上にあるステップと、
前記テープ分配フレームを前記第１の面の上に配置するステップと、
前記第２の分配縁が前記第２の面と係合するように、前記テープ分配フレームの前記第２の分配縁を前記第２の面と位置合わせするステップと、
前記第２の方向に前記テープ分配フレームを移動するステップと、
前記テープ分配フレームの前記ハブの上にある前記ロールから、ある一定の長さのテープを前記第１の面に接着するステップであって、テープの前記第２の側縁が前記第１の面および前記第２の面の共通の縁に沿って同一直線上に延在するステップと、
前記テープ分配フレームの前記ハブの上にある前記ロールから、前記第１の面に接着されるある一定の長さのテープを分離し、前記第１の面に接着されるテープの第２の細片を画定するステップと、を含む方法。
【請求項１５】
前記ロールが前記第１の分配位置にあるとき、前記ロールからテープの第３の細片を貼り付けるステップをさらに含み、
前記テープ分配フレームに関する前記第１の分配位置に前記ロールを再位置決めするために、前記ハブの幅にわたって第２の反対方向に前記ロールを摺動させるステップと、
前記テープ分配フレームを前記第１の面の上に配置するステップと、
前記第１の分配縁が前記第２の面と係合するように、前記テープ分配フレームの前記第１の分配縁を前記第２の面と位置合わせするステップと、
前記第１の方向に前記テープ分配フレームを移動するステップと、
前記ハブの上にある前記ロールから、ある一定の長さのテープを前記テープ分配フレームへ前記第１の面に沿って接着するステップであって、テープの前記第１の側縁が、前記第１の面および前記第２の面の共通の縁に沿って同一直線上に延在するステップと、
前記テープ分配フレームの前記ハブの上にある前記ロールから、前記第１の面に接着されるある一定の長さのテープを分離し、前記第１の面に接着されるテープの前記第３の細片を画定するステップと、を含む、請求項１４に記載の方法。
【請求項１６】
前記テープを前記第１の面の上に貼り付けている間に、前記テープ分配フレームに装着された１つ以上の貼り付けローラを介して、前記第１の面に対して前記テープを押し付けるステップをさらに含む、請求項１４に記載の方法。
【請求項１７】
前記分離ステップのそれぞれは、
前記テープを、前記テープ分配フレームに取付けられたカッターと係合させるステップを含む、請求項１４に記載の方法。
【請求項１８】
前記テープ分配フレームに関する前記第１の分配位置に前記ロールを位置決めする前記ステップは、
前記ロールが前記テープ分配フレームの第１の内面と当接するように、前記ハブの第１の端部に前記ロールを摺動させるステップを含む、請求項１４に記載の方法。
【請求項１９】
前記テープ分配フレームに関する前記第２の分配位置に前記ロールを位置決めする前記ステップは、
前記ロールが前記テープ分配フレームの第２の内面と当接するように、前記ハブの第２の端部に前記ロールを摺動させるステップを含む、請求項１４に記載の方法。
【発明の詳細な説明】
【技術分野】
【０００１】
本発明は、一般に、接着テープアプリケータの分野に関する。さらに詳細には、本発明は、右手および左手の両方で貼り付けることができる接着テープアプリケータに関する。
【背景技術】
【０００２】
コーティング（たとえば、塗料、ニスなど）を塗布する際に、隣接する面を個別に塗布する必要があることが多い。したがって、１つの面がコーティングされるが、隣接する面はコーティングされないことになっている場合には、不注意で隣接する面をコーティングしないようにするために、そのような隣接する面を保護するか、または覆い隠すことが望ましい。いくつかの状態では、保護されるべき面は、コーティングされるべき面の縁と共通する縁を有する。たとえば、コーティングされるべき面は、隅縁に沿って別の壁に取付られる壁またはその上に装着される扉または窓の成形物を有する壁であり得る。ある種の形態のマスキング装置を用いなければ、これらの構造は、隣接する面を不注意でコーティングすることなく、所望の面をコーティングすることを困難にする。
【０００３】
覆い隠すべき面の上にロールからテープ（たとえば、マスキングテープ）の細片を貼り付けるための、多くの接着テープアプリケータが周知である。通常、ロールは、テープアプリケータのハブに位置決めされ、ロールからテープの自由端が保護されるべき面に接着される。次に、面の上方のテープアプリケータの移動によって、保護されるべき面に対してテープの細片が直線状に貼り付けられ、テープの側縁が隣接する面の共通の縁に沿って延在する。そのような貼り付け中に、テープアプリケータは、保護されるべき面に沿って、その面の上にテープの細片を案内する。
【発明の開示】
【発明が解決しようとする課題】
【０００４】
現在のテープアプリケータは、テープアプリケータのハブからロールを取り除いて、ハブにロールを再位置決めすることなく、保護されるべき面に沿って、２つの対向する方向のいずれかに移動している間、用いることができない。さらに、現在のテープアプリケータは、テープアプリケータの側縁をテープの異なるサイズのロールの側縁と位置合わせすることができない。現在のテープディスペンサは、種々の幅のテープを分配することができない。
【課題を解決するための手段】
【０００５】
一実施形態において、本発明は、ロールから第１の面にテープを貼り付ける際に、左手および右手の両方で使用するために適合されたテープ貼り付け装置である。第１の面の縁は、隣接する第２の面の縁と共通である。テープ貼り付け装置は、ハウジングと、ロールを摺動可能に支持することができる、ハウジングに取付けられるテープハブと、を備える。ハウジングは、第１の外面および第２の外面および第１の内面および第２の内面を有し、ロールを収容することができる。テープ貼り付け装置が第１の方向に案内されるとき、ロールは第１の内部側面に対して第１の分配位置に移動可能であり、テープ貼り付け装置が第１の方向とは反対の第２の方向に案内されるとき、ロールは第２の内部側面に対して第２の分配位置に移動可能である。
【０００６】
他の実施形態において、本発明は、ロールから第１の面の上にテープの細片を貼り付けるためのテープアプリケータである。ロールは第１の幅を有し、テープの細片は第１の縁および第２の縁を有する。第１の面の縁は、第２の隣接する面の縁と共通である。テープアプリケータは、ロールを収容するように適合されたフレームと、フレームに取付けられたテープハブと、を備える。フレームは、フレームの第１の側に第１のテープ分配縁と、フレームの第２の側に第２のテープ分配縁と、を有する。テープハブは、ロールの第１の幅よりも大きい第２の幅を有し、ロールを摺動可能に支持するように形成される。ロールは、第１の分配位置と第２の分配位置との間で摺動可能である。第１の分配位置にあるとき、テープの細片の第１の側縁は、フレームの第１の側の第１の分配縁と同一直線上にあるロールから分配される。第２の分配位置にあるとき、テープの細片の第２の側縁は、フレームの第２の側の第２の分配縁と同一直線上にあるロールから分配される。
【０００７】
他の実施形態において、本発明は、第１の方向においてテープ分配フレームのハブに装着されたロールから第１の面にテープの第１の細片を貼り付け、続いて、第２の方向においてテープ分配フレームのハブに装着されたロールから第１の面にテープの第２の細片を貼り付けるための方法である。第１の面の縁は、第１の面に隣接する第２の面の縁と共通である。ロールは、分配中のテープの第１の側縁がテープ分配フレームの第１の分配縁と同一直線上にあるように、テープ分配フレームに関する第１の分配位置に位置決めされる。テープ分配フレームは第１の面の上に配置され、第１の分配縁は、第１の分配縁が第２の面に接触するが、第２の面と重ならないように、第２の面と位置合わせされる。テープ分配フレームは第１の方向に移動されると同時に、ロールから第１の面に、ある一定の長さのテープを接着する。第１の面に接着されるある一定の長さのテープは、ロールから分離され、テープの第１の細片を画定する。分配中のテープの第２の側縁がテープ分配フレームの第２の分配縁と同一直線上にあるように、ロールは続いて、テープ分配フレームに関する第２の分配位置にロールを位置決めするために、ハブの幅にわたって第１の方向に摺動される。テープ分配フレームは第１の面に配置され、第２の分配縁は、第２の分配縁が第２の面に接触するが、第２の面と重ならないように、第２の面と位置合わせされる。テープ分配フレームは第２の方向に移動されると同時に、ロールから第１の面に、ある一定の長さのテープを接着する。第１の面に接着されるある一定の長さのテープは、ロールから分離され、テープの第２の細片を画定する。
【０００８】
本発明の上記の概要は、本発明のそれぞれ開示された実施形態またはすべての実装例について記載することを意図しているわけではない。以下の図面および詳細な説明は、例示の実施形態をさらに詳細に具体化する。
【０００９】
本発明は、以下に列挙した図面を参照して、さらに説明される。尚、類似の構造は、複数の図にわたって類似の数字によって参照される。
【００１０】
上記で識別された図は本発明の一実施形態について記載しているが、説明の中で記載されているような他の実施形態もまた、考えられる。すべての場合において、本開示は、代表するものによって本発明を示すのであって、限定するものではない。種々の他の変更および実施形態は本発明の原理の範囲および精神を逸脱することなく、当業者によって考案されることができることを理解すべきである。
【発明を実施するための最良の形態】
【００１１】
図１は、保護または覆い隠されるべき第１の面１２の上に位置決めされる本発明の接着テープアプリケータ１０の斜視図である。第１の面１２は、たとえば、壁１３から突出している扉または窓のフレーム１２Ａの側面であってもよい。テープアプリケータ１０は一般に、ロール１６を収容するように適合されたハウジング１４と、テープハブ１８（テープハブ１８は図２に詳細に示される）と、テープ貼り付けローラ２０と、切断縁２２と、を備える。テープアプリケータ１０は、第１の面１２に沿って（矢印２９の方向に移動する）ロール１６から第１の側縁２８および第２の側縁３０を有するテープ２６の細片２４を貼り付けるために用いられる。通常、第１の面１２は、第１の面１２に隣接する第２の面３６（すなわち、壁１３）の縁３４と共通の縁３２を有する。テープ２６の細片２４が縁３２で第１の面１２を効果的に保護するようにするためには、テープアプリケータ１０のローラ２０および後脚３８が第１の面１２の上に配置され、テープ２６の細片２４の第１の側縁２８が第１の面１２の縁３２と同一直線上に位置合わせされるようにするために、テープアプリケータ１０は、図１に示されているように、第２の面３６に対して同一の平面に配置されなければならない。
【００１２】
図２および図３において分かるように、ハウジング１４は、第１のハウジング部分４０および第２のハウジング部分４２を備える。第１のハウジング部分４０は一般に、側壁４４、弓形カバー４６、内縁４８、前部分５０および後脚３８を備える。壁４４は、ロール１６を収容するように適合された内部側面５２（図４参照）と、覆い隠されるべき面に対して直交する面と係合するように適合された外部側面５４と、を有する。カバー４６は、壁４４の外縁５６から内縁４８まで垂直に延在する。カバー４６の前部分５０は、貼り付けローラ２０にわたって延在し、切断縁２２で終端する。後脚３８は、直立位置でテープアプリケータ１０を維持し、テープ２６の細片２４がその面に貼り付けられるときに、面に沿ってテープアプリケータ１０を案内するように適合される。
【００１３】
第２のハウジング部分４２は一般に、側壁５８、弓形カバー６０および内縁６２を備える。壁５８は、ロール１６を収容するように適合された内部側面６４（図５参照）と、覆い隠されるべき面に対して直交する面と係合するように適合された外部側面６６と、を有する。カバー６０は、壁５８の外縁６８から内縁６２まで垂直に延在する。一実施形態において、ハウジング１４は、ポリマー材料（たとえば、ポリスチレン、ＡＢＳまたはポリプロピレン）から成形される。
【００１４】
テープアプリケータ１０が組立てられるとき、第１のハウジング部分４０および第２のハウジング部分４２は、当接または内部で係合する内縁４８および６２で互いに連結され、ハウジング１４の中にロール１６を維持するための筐体を形成する。ハウジング部分４０および４２は、摩擦嵌め、スナップ嵌めまたはばね偏倚手段などの任意の適切な手段によって連結されてもよい。示された実施形態において、ばね偏倚レバー７０および７２（図１および図２に示される）は、ハウジング部分４０および４２の連結および切り離しを行うように操作される。その中にロール１６を配置するために、分離することができる状態で、ハウジング部分４０および４２を共に保持するために、ハウジング部分４０および４２が強固であるが着脱可能に共に連結されている限り（図１参照）、任意の容易に着脱可能な結合装置で十分である。
【００１５】
テープハブ１８は、第１のハウジング部分４０の内部側面５２で取付けフランジ７４に取付けられ、ハウジング１４の内側に広がり、第２のハウジング部分４２の内部側面６４に取付けられる取付けフランジ７６まで延在する。（テープのロールのそれぞれのコア７８の内径が一般に、テープハブ１８の外径に一致する限り、）テープハブ１８はさまざまな幅のテープのロールを摺動可能に支持することができる。一実施形態において、テープハブ１８は、ロール１６の第１の側縁８０からロール１６の第２の側縁８２まで測定すると、幅３インチのコアを有するテープのロールを支持するように適合される。
【００１６】
テープハブ１８上の複数の横方向のリブ８４は、テープハブ１８における第１の分配位置または第２の分配位置のいずれかにおいて、テープハブ１８上にロール１６を摩擦を介して維持するように支援する。テープのロール１６およびハブ８４は、フランジ７４を中心として共に回転する。図２はテープハブ１８上にロール１６を摩擦を介して維持するための複数のリブ８４を示しているが、本発明の範囲を逸脱することなく、他の突出手段を用いてもよい。たとえば、複数の可撓性フィン、ばねまたはその他の方法で形成された突出物は、テープハブ１８上にロール１６を摩擦を介して維持するために、テープハブ１８から外側に突出するように設けられてもよい。
【００１７】
切断縁２２は、貼り付けローラ２０の近くに位置決めされ、刃８６によってロール１６からテープ２６の細片２４を分離するために適合される。切断縁２２は、切断縁２２および第１のハウジング部分４０の外部側面５４の平面（たとえば、図４の平面９８）と交差する場合には第１の分配縁８８を有し、切断縁２２および第２のハウジング部分４２の外部側面６６の平面（たとえば、図５の平面９９）と交差する場合には第２の分配縁９０を有する。切断縁２２の刃８６は歯の列を有するように図２には示されているが、本発明の範囲を逸脱することなく、刃８６を種々の形状に形成することができる。たとえば、刃８６は、単独の金属刃または鋸歯状のプラスチックの刃であってもよい。
【００１８】
貼り付けローラ２０は、テープ２６の細片２４を第１の面１２に強固に貼り付けるために用いられる第１の貼り付けローラ２０ａ、第２の貼り付けローラ２０ｂおよび第３の貼り付けローラ２０ｃ（図３に示され、その上部部分は点線で描かれている）を備える。第１の貼り付けローラ２０ａ、第２の貼り付けローラ２０ｂおよび第３の貼り付けローラ２０ｃは、第１の分配縁８８と第２の分配縁９０との間で切断縁２２に隣接するハウジング１４に回転可能に装着される。第１の貼り付けローラ２０ａおよび第３の貼り付けローラ２０ｃは、それらの外縁がハウジング部分４０の第１の分配縁８８およびハウジング部分４２の第２の分配縁９０とそれぞれ同一直線上となるように、ハウジング１４の中に位置決めされている。
【００１９】
第１の貼り付けローラ２０ａおよび第３の貼り付けローラ２０ｃは、直径Ｄ１の内部側縁９２および直径Ｄ２の外部側縁９４を有する。外部側縁９４の直径Ｄ２は、内部側縁９２の直径Ｄ１よりわずかに大きい。細片２４が第１の面１２に均一に接着されることを確実にするために、第１の貼り付けローラ２０ａおよび第３の貼り付けローラ２０ｃは、異なる内径および外径を有する。テープ２６がロール１６から解かれると、貼り付けローラ２０は、第１の面１２に貼り付けられるように、テープ２６の細片２４に圧力を印加する。図２は、３つの貼り付けローラを備えているものとして貼り付けローラ２０を検討しているが、１つのローラで十分であってもよく、または本発明の範囲を逸脱することなく他の数の組合せの貼り付けローラを用いることができる。
【００２０】
図４において分かるように、第１のハウジング部分４０の内部側面５２は、ロール１６の第１の側縁８０と係合するように適合される第１の平面９６にある。同様に、第２のハウジング部分４２の内面６４は、ロール１６の第２の側縁８２と係合するように適合される第１の平面９７にある。第１の面１２に垂直であり、かつ外部側面５４が当接している面に対して手動で摺動されるとき、第１のハウジング部分４０の外部側面５４は、ハウジング１４を案内するように適合される第２の平面９８にある。第１の平面９６および第２の平面９８は、互いに対して鋭角で配置され、第１の平面９６および第２の平面９８が第１の分配縁８８で交差することが好ましい。第１の面１２に垂直であり、かつ外部側面６６が当接している面に対して手動で摺動されるとき、第２のハウジング部分４２の外部側面６６は、ハウジング１４を案内するように適合される第２の平面９９にある。第１の平面９７および第２の平面９９は、互いに対して鋭角で配置され、第１の平面９７および第２の平面９９が第２の分配縁９０で交差することが好ましい。一実施形態において、第１の外面５４および第２の外面６６の第２の平面９８および９９は、１°〜６°の角度でそれぞれ第１の平面９６および９７に向かって次第に細くなる。
【００２１】
図４に示される第１の分配位置において、ロール１６の第１の側面８０が第１のハウジング部分４０の内部側面５２と当接するように、ロール１６はテープアプリケータ１０のテープハブ１８の上に位置決めされる。テープアプリケータ１０が種々の幅のテープのロールを収容することができるため、テープアプリケータ１０を用いる前にロール１６をテープハブ１８に適切に位置決めしなければならない。ロール１６の幅がテープハブ１８の幅より小さい場合には、ロール１６はリブ８４によってテープハブ１８上の所定の位置に維持される。ロール１６の幅がテープハブ１８の幅に略等しい場合には、ロール１６はリブ８４と、ハウジング１４の内部側面５２および６４と、によって、所定の位置に維持される。
【００２２】
ロール１６が第１のハウジング部分４０の内部側面５２に対して位置決めされるため、ハウジング１４から分配されているテープ２６の細片２４は、ロール１６の幅に関係なく、テープ２６の細片２４の第１の側縁２８が第１の分配縁８８と同一直線上にあるように位置合わせされる。その結果、第１のハウジング部分４０の外部側面５４が第２の面３６と同一平面に配置される場合には、テープアプリケータ１０が第１の方向に手動で移動されると、テープ２６の細片２４の第１の側縁２８は第１の面１２の縁３２に沿って直接分配される。
【００２３】
テープアプリケータ１０が第１の面１２に沿って案内されるとき、テープ２６が第１の面１２に貼り付けられ、貼り付けローラ２０によって所定の位置に固定される。第１の貼り付けローラ２０ａおよび第３の貼り付けローラ２０ｃの外部側縁９４（図２および図３に示される）がより大きい直径であるために、第１の分配縁８８および第２の分配縁９０でテープ２６の細片２４により大きな圧力が印加される。ロール１６が第１の分配位置（図４）にあるとき、テープ２６の細片２４の第１の側縁２８は、第１の貼り付けローラ２０ａの外部側縁９４と同一直線上にある。第１の面１２にテープ２６の細片２４のより確実な接着を実現するために、第１の貼り付けローラ２０ａの外部側縁９４は、テープ２６の細片２４の第１の側縁２８により大きな圧力を印加する。
【００２４】
図５に示される第２の分配位置において、ロール１６の第２の側面８２が第２のハウジング部分４２の内部側面６４と当接するように、ロール１６はテープアプリケータ１０のテープハブ１８の上に位置決めされる。ロール１６の幅に応じて、ロール１６は、リブ８４によってテープハブ１８上の所定の位置に維持され、ハウジング内部ほど広い場合には、第１のハウジング部分４０および第２のハウジング部分４２の内部側面５２および６４も利用して所定の位置に維持される。
【００２５】
ロール１６の第２の側面８２が第２のハウジング部分４２の内部側面６４に対して位置決めされるため、ハウジング１４から分配されているテープ２６の細片２４は、ロール１６の幅に関係なく、テープ２６の細片２４の第２の側縁３０が第２のハウジング部分４２の外部側面６６および第２の分配縁９０と同一直線上にあるように位置合わせされる。その結果、第２のハウジング部分４２の外部側面６６が第２の面３６と同一平面に配置される場合には、テープアプリケータ１０が第１の方向とは反対の第２の方向に手動で移動されると、テープ２６の細片２４の第２の側縁３０は第１の面１２の縁３２に沿って直接分配される。
【００２６】
ロール１６が第２の分配位置（図５）にあるとき、テープ２６の細片２４の第２の側縁３０は、第３の貼り付けローラ２０ｃの外部側縁９４（図２および図３に示される）と同一直線上にある。テープ２６の細片２４が第１の面１２に貼り付けられるとき、第１の面１２にテープ２６の細片２４のより確実な接着を実現するために、第３の貼り付けローラ２０ｃの外部側縁９４は、テープ２６の細片２４の第２の側縁３０に、より大きな圧力を印加する。
【００２７】
図６は、第１の面１２にテープ２６の第１の細片２４ａを貼り付けるテープアプリケータ１０の斜視図である。テープアプリケータ１０を用いて、テープ２６の第１の細片２４ａを第１の面１２の縁３２に貼り付けるために、ロール１６は、最初に第１の分配位置（図４に関して図示され、説明されている）のテープハブ１８の上に位置決めされる。テープアプリケータ１０の第１の分配縁８８が第１の面１２の縁３２と位置合わせされ、第１のハウジング部分４０の外部側面５４が第２の面３６と係合するように、切断縁２２および後脚３８は、第１の面１２の上に配置される。
【００２８】
テープ２６は、貼り付けローラ２０および切断縁２２の下で第１の面１２の上に引っ張られる。テープ２６の細片２４を第１の面１２に固定した後、テープアプリケータ１０は、第１の方向に第１の面１２に沿って手動で案内され、テープアプリケータ１０が第１の面１２に沿って移動すると、ロール１６からある一定の長さのテープ２６が開放される。ロール１６が第１のハウジング部分４０の内部側面５２（図２に示される）に対して位置決めされるため、テープ２６の細片２４の第１の縁２８は、テープアプリケータ１０の第１の分配縁８８および第１の面１２の縁３２と同一直線上となるようにロール１６から分配される。テープ２６の細片２４が第１の面１２の縁３２の所望の長さに沿って貼り付けられた後、テープ２６の細片２４は切断縁２２の刃８６によってロール１６から分離され、テープ２６の切断細片（図６のテープ細片２４ｂなど）を画定する。
【００２９】
図７は、第１の面１２にテープ２６の第２の細片２４ｃを貼り付けるテープアプリケータ１０の斜視図である。第１の面１２にテープ２６の第２の細片２４ｃを貼り付けるために、ロール１６はテープハブ１８の幅にわたって、第２のハウジング部分４２に向かって摺動され、第２の分配位置（図５に関して図示され、説明されている）に位置決めされる。テープアプリケータ１０の第２の分配縁９０が第１の面１２の縁３２と位置合わせされ、第２のハウジング部分４２の外部側面６６が第２の面３６と係合するように、テープアプリケータ１０の切断縁２２および後脚３８は、第１の面１２の上に配置される。
【００３０】
テープアプリケータ１０の汎用設計のために、ロール１６が第１の分配位置または第２の分配位置のいずれにあるかに関係なく、テープ２６の細片を第１の面１２に貼り付けることができる。第２のハウジング部分４２の外部側面６６が現在、第２の面３６と係合している最中であっても、テープアプリケータ１０を第２の方向に案内することによって、第１の面１２の縁３２に沿って、テープ２６を依然として貼り付けることができる。テープ２６は、貼り付けローラ２０および切断縁２２の下で第１の面１２の上に引っ張られる。テープ２６の細片２４ｃを第１の面１２に固定した後、テープアプリケータ１０は、第２の方向に第１の面１２に沿って手動で案内され、テープアプリケータ１０が第１の面１２に沿って移動すると、ロール１６からある一定の長さのテープ２６が開放される。ロール１６が第２のハウジング部分４２の内部側面６４（図２に示される）に対して位置決めされるため、テープ２６の細片２４の第２の縁３０は、テープアプリケータ１０の第２の分配縁９０および縁３２と同一直線上となるようにロール１６から分配される。テープ２６の細片２４が第１の面１２の縁３２の所望の長さに沿って貼り付けられた後、テープ２６の細片２４は切断縁２２の刃８６によってロール１６から分離され、テープ２６の切断細片（図７のテープ細片２４ｄなど）を画定する。
【００３１】
第２の分配位置から第１の分配位置にロール１６を戻すことが所望である場合には、ロール１６の第１の側縁８０が第１のハウジング部分４０の内部側面５２（これも図４に示されている）に当接するまで、ロール１６は、第２のハウジング部分４２から離れる方向にテープハブ１８の幅にわたって摺動される。
【００３２】
本発明は好ましい実施形態を参照して説明してきたが、当業者は、本発明の趣旨および範囲を逸脱することなく、形態および詳細に変更を加えてもよいことを認識しているであろう。
【図面の簡単な説明】
【００３３】
【図１】本発明の接着テープアプリケータの斜視図である。
【図２】本発明の接着テープアプリケータの分解斜視図である。
【図３】本発明の接着テープアプリケータの正面図である。
【図４】図１の線Ａ−Ａに沿って切り取った本発明のテープアプリケータの断面図であり、その中のロールが第１の分配位置（ロールから分配されるときのテープの突出した細片を有する）にあることを示している。
【図５】図１の線Ａ−Ａに沿って切り取った本発明のテープアプリケータの断面図であり、その中のロールが第２の分配位置（ロールから分配されるときのテープの突出した細片を有する）にあることを示している。
【図６】ロールが第１の分配位置にあるときに使用される本発明の接着テープアプリケータの斜視図である。
【図７】ロールが第２の分配位置にあるときに使用される本発明の接着テープアプリケータの斜視図である。
【図１】
2008532886.tif 000003
【図２】
2008532886.tif 000004
【図３】
2008532886.tif 000005
【図４】
2008532886.tif 000006
【図５】
2008532886.tif 000007
【図６】
2008532886.tif 000008
【図７】
2008532886.tif 000009
【国際調査報告】
2008532886.tif 000010
2008532886.tif 000011